(57)【特許請求の範囲】
【請求項１】
遊技球が流下可能な遊技領域が画成された遊技盤と、該遊技盤の後側に配設される箱状部材と、前記箱状部材の後面から突出するよう設けられた遊技機構成部品と、前記箱状部材の後面から離間するよう前記遊技機構成部品の後方に配設され、各種電気部品からの配線が接続される基板とを備えた遊技機において、
前記箱状部材の後面に着脱可能に配設された基板設置部に、前記遊技機構成部品から後方に離間する位置に前記基板を設置する設置面が形成され、
前記基板および箱状部材の後面の間の空間に、該空間を区画する区画壁と、該設置面の外周縁に整合するよう位置して、該区画壁に対向する案内壁とが設けられて、当該区画壁および案内壁により各種電気部品からの配線が挿通される配線案内路が該空間内に区画形成されると共に、当該配線案内路に対する配線の導出口が配線案内路の延在方向に対して交差する方向に開口するよう形成され、
前記空間において前記区画壁を挟む案内壁の反対側に、該空間を分割または充塞する規制部を設け、該空間に対する規定の不正部品の設置を防止するよう構成された
ことを特徴とする遊技機。
【請求項２】
遊技球が流下可能な遊技領域が画成された遊技盤と、該遊技盤の後側に配設される箱状部材と、前記箱状部材の後面から突出するよう設けられた遊技機構成部品と、前記箱状部材の後面から離間するよう前記遊技機構成部品の後方に配設され、各種電気部品からの配線が接続される基板とを備えた遊技機において、
前記箱状部材の後面に着脱可能に配設された基板設置部に、前記遊技機構成部品から後方に離間する位置に前記基板を設置する設置面が形成され、
前記基板および箱状部材の後面の間の空間に、該空間を区画する区画壁と、該設置面の外周縁に整合するよう位置して、該区画壁に対向する案内壁とが設けられて、当該区画壁および案内壁により各種電気部品からの配線が挿通される配線案内路が該空間内に区画形成され、
前記空間において前記区画壁を挟む案内壁の反対側に、該空間を分割または充塞する規制部を設けると共に、前記箱状部材に対する前記基板設置部の取り付けに用いる取付部を前記空間内に設けて、該空間に対する規定の不正部品の設置を防止するよう構成された
ことを特徴とする遊技機。
【請求項３】
前記設置面および箱状部材の後面の間に、前記規制部の設置領域を囲繞する壁部を設けた請求項１または２記載の遊技機。
【請求項４】
前記規制部は、前記設置面の前面から前方へ突出する複数の規制突起である請求項１〜３の何れか一項に記載の遊技機。
【発明の詳細な説明】
【技術分野】
【０００１】
この発明は、箱状部材に配設された基板と該箱状部材の後面との間に空間が画成された遊技機に関するものである。
【背景技術】
【０００２】
例えば、遊技機の代表例の一つであるパチンコ機は、特許文献１に示すように、機内にセットされる遊技盤の盤面にパチンコ球が打出される遊技領域が画成されている。遊技盤の後側には、箱状部材が配設され、該箱状部材に、各種図柄を変動表示して図柄変動演出を行なう液晶式やドラム式等の図柄表示装置が配設される。また、図柄表示装置の下方位置に、図柄表示装置での図柄変動演出を開始させる契機となる始動入賞装置が配設されている。そして、前記遊技領域を流下するパチンコ球が、前記始動入賞装置に設けた始動口に入賞することで、図柄表示装置での図柄変動演出を開始させると共に、パチンコ球を賞球として払出すよう構成されている。
【０００３】
前記図柄変動演出の結果、図柄表示装置に特定の図柄の組合わせ(大当り図柄)が表示されることで、遊技者に有利な特別遊技(大当り遊技)を発生させるよう構成されている。前記特別遊技が発生すると、図柄表示装置における演出に合わせて、遊技盤に配設した特別入賞装置の特別入賞口を開放した後に、一旦閉鎖する動作(ラウンド遊技)を所定回数繰返し、遊技者に多数の賞球を払出す好機を与えるようになっている。
【０００４】
ここで、前記箱状部材は、前記遊技盤に対向する対向面部と、該対向面部の周縁部から前方に延出する壁部とから前方に開放する箱状に形成され、該箱状部材に、可動演出装置や発光演出装置等の各種電気部品が配設されている。これら電気部品からの配線は、前記対向面部の後側に引き出された後、該箱状部材の後側(裏側)に設けた中継基板に接続されている。また、箱状部材の後面には、球検知手段や不正検知手段等のセンサを取付けるためのフックが後方に突出して設けられている。
【先行技術文献】
【特許文献】
【０００５】
【特許文献１】特開２００８−７９８７９号公報
【発明の概要】
【発明が解決しようとする課題】
【０００６】
このように、箱状部材には、各種の遊技機構成部品(前述したセンサ、フック等)が設置されるため、その後面を平坦に形成することは困難となっている。そのため、前記中継基板は、箱状部材の後面に直接設置されるのではなく、該後面から後方へ離間させた基板設置部の設置面に設置したり、該後面から後方に突設させた取付ボス等を介して設置したりする場合が多い。すなわち、中継基板は、箱状部材の後面から所定間隔離間した状態で配設され、該中継基板と後面との間に所要の空間が画成されていた。
【０００７】
ところが、このように中継基板と箱状部材の後面との間に空間が画成されると、当該空間を利用して、所謂ぶら下がり基板等のパチンコ機に不正な動作を行わせる不正部品を隠すように設置される虞がある。そして、前記空間内に不正部品が一旦設置されると、中継基板の裏側に隠れて発見が困難となるため、継続的に不正行為が行われる問題が指摘される。
【０００８】
すなわち、本発明は、従来技術に係る遊技機に内在する前記問題に鑑み、これらを解決するべく提案されたものであって、箱状部材の後面と基板との間の空間に不正部品を設置するのを困難とした遊技機を提供することを目的とする。
【課題を解決するための手段】
【０００９】
前記課題を解決し、所期の目的を達成するため、請求項１に係る遊技機は、
遊技球(S)が流下可能な遊技領域(50)が画成された遊技盤(14)と、該遊技盤(14)の後側に配設される箱状部材(20)と、前記箱状部材(20)の後面(304)から突出するよう設けられた遊技機構成部品(240,242,246,248)と、前記箱状部材(20)の後面(304)から離間するよう前記遊技機構成部品(240,242,246,248)の後方に配設され、各種電気部品(62)からの配線(134X)が接続される基板(298)とを備えた遊技機において、
前記箱状部材(20)の後面(304)に着脱可能に配設された基板設置部(306)に、前記遊技機構成部品(240,242,246,248)から後方に離間する位置に前記基板(298)を設置する設置面(318)が形成され、
前記基板(298)および箱状部材(20)の後面(304)の間の空間(D)に、該空間(D)を区画する区画壁(308)と、該設置面(318)の外周縁に整合するよう位置して、該区画壁(308)に対向する案内壁(312)とが設けられて、当該区画壁(308)および案内壁(312)により各種電気部品からの配線(204X)が挿通される配線案内路(E)が該空間(D)内に区画形成されると共に、当該配線案内路(E)に対する配線(204X)の導出口(316)が配線案内路(E)の延在方向に対して交差する方向に開口するよう形成され、
前記空間(D)において前記区画壁(308)を挟む案内壁(312)の反対側に、該空間(D)を分割または充塞する規制部(348)を設け、該空間(D)に対する規定の不正部品(F)の設置を防止するよう構成されたことを特徴とする。
請求項１の発明によれば、基板および箱状部材の後面の間の空間に規制部を設けたので、当該空間内に規定の不正部品を設置し得る余地を少なくして、不正部品の設置を困難とし得る。
また、基板設置部の設置面および箱状部材の後面の間の空間に不正部品を設置するのを困難にし得る。
【００１０】
前記課題を解決し、所期の目的を達成するため、請求項２に係る遊技機は、
遊技球(S)が流下可能な遊技領域(50)が画成された遊技盤(14)と、該遊技盤(14)の後側に配設される箱状部材(20)と、前記箱状部材(20)の後面(304)から突出するよう設けられた遊技機構成部品(240,242,246,248)と、前記箱状部材(20)の後面(304)から離間するよう前記遊技機構成部品(240,242,246,248)の後方に配設され、各種電気部品(62)からの配線(134X)が接続される基板(298)とを備えた遊技機において、
前記箱状部材(20)の後面(304)に着脱可能に配設された基板設置部(306)に、前記遊技機構成部品(240,242,246,248)から後方に離間する位置に前記基板(298)を設置する設置面(318)が形成され、
前記基板(298)および箱状部材(20)の後面(304)の間の空間(D)に、該空間(D)を区画する区画壁(308)と、該設置面(318)の外周縁に整合するよう位置して、該区画壁(308)に対向する案内壁(312)とが設けられて、当該区画壁(308)および案内壁(312)により各種電気部品からの配線(204X)が挿通される配線案内路(E)が該空間(D)内に区画形成され、
前記該空間(D)において前記区画壁(308)を挟む案内壁(312)の反対側に、該空間(D)を分割または充塞する規制部(348)を設けると共に、前記箱状部材(20)に対する前記基板設置部(306)の取り付けに用いる取付部(322)を前記空間(D)内に設けて、該空間(D)に対する規定の不正部品(F)の設置を防止するよう構成されたことを特徴とする。
請求項２の発明によれば、基板および箱状部材の後面の間の空間に規制部を設けたので、当該空間内に規定の不正部品を設置し得る余地を少なくして、不正部品の設置を困難とし得る。
また、基板設置部の設置面および箱状部材の後面の間の空間に不正部品を設置するのを困難にし得る。
【００１１】
請求項３に係る遊技機では、前記設置面(318)および箱状部材(20)の後面(304)の間に、前記規制部(204X,308,348)の設置領域を囲繞する壁部(310,312,330,332,334)を設けた。
請求項３の発明によれば、規制部の設置領域を囲繞する壁部を設けたので、規制部が設けられた領域内に不正部品を侵入させるのをより困難にし得る。
【００１２】
請求項４に係る遊技機では、前記規制部は、前記設置面(318)の前面から前方へ突出する複数の規制突起(348)である。
請求項４の発明によれば、箱状部材とは別体の基板設置部に規制部を設けたので、箱状部材に規制部を設けた場合に較べ、該規制部の設計変更等を行い易くし得る。また、規制部として複数の規制突起を採用したので、設置面および箱状部材の後面の間の空間を塞ぐ大きさを有する単一の規制部を採用した場合に較べ、材料費の抑制および基板設置部の軽量化を図り得る。
【発明の効果】
【００１３】
本発明に係る遊技機によれば、基板および箱状部材の後面の間の空間に不正部品を設置するのを困難にし得る。
【図面の簡単な説明】
【００１４】
【図１】本発明の実施例に係るパチンコ機の正面図である。
【図２】実施例に係る中枠を示す斜視図である。
【図３】実施例に係る遊技盤を示す正面図である。
【図４】実施例に係る遊技盤を示す背面図である。
【図５】実施例に係る始動入賞装置の平面図である。
【図６】実施例に係る始動入賞装置の左側面図である。
【図７】実施例に係る遊技盤および箱状部材を示す図３のI−I断面図である。
【図８】実施例に係る特別入賞装置の平面図である。
【図９】実施例に係る特別入賞装置の斜視図である。
【図１０】実施例に係る一般入賞装置の斜視図である。
【図１１】実施例に係る一般入賞装置から導出する配線を箱状部材の後面へ引き回す状態を拡大して示した横断面図であって、図１５のII−II線断面図である。
【図１２】実施例に係る各演出装置を取外した状態の箱状部材を示す正面図である。
【図１３】図１５のIII−III線断面図であって、基板設置部材の設置箇所を拡大して示す。
【図１４】実施例に係る各演出装置を取付けた状態で示す箱状部材の正面図であって、一部拡大した部分は、図７のIV−IV線断面図である。
【図１５】実施例に係る箱状部材が取付けられた遊技盤の背面図であって、上部中継基板および第１〜第３下部中継基板を取付けた状態で示す。
【図１６】実施例に係る箱状部材、基板設置部材および第３下部中継基板を後側から見た分解斜視図である。
【図１７】実施例に係る設置部取付面を拡大して示す箱状部材の背面図である。
【図１８】実施例に係る箱状部材の拡大背面図であって、配線導出口から導出した配線を箱状部材の後側へ引き回す状態を示す。
【図１９】実施例に係る遊技盤および箱状部材を拡大して示す左側面図である。
【図２０】実施例に係る装置収容部を示す箱状部材の拡大斜視図である。
【図２１】実施例に係る遊技盤および箱状部材の下部を後側から見た斜視図である。
【図２２】実施例に係る箱状部材を第２,第３下部中継基板および基板設置部材を取外した状態で示す拡大背面図である。
【図２３】実施例に係る基板設置部材を前側から見た斜視図である。
【図２４】実施例に係る設置部取付面を示す箱状部材の拡大背面図である。
【図２５】実施例に係る基板設置部材を後側から見た斜視図である。
【発明を実施するための形態】
【００１５】
次に、本発明に係る遊技機につき、好適な実施例を挙げて、添付図面を参照しながら以下詳細に説明する。なお、実施例では、遊技球としてパチンコ球を用いて遊技を行うパチンコ機を例に挙げて説明する。また、以下の説明において、「前」、「後」、「左」、「右」とは、図１に示すようにパチンコ機を前側(遊技者側)から見た状態で指称する。但し、部材を後側から見た状態で示す図面を参照する場合には、当該参照した図面を基準として「右」、「左」を指称する場合がある。
【実施例】
【００１６】
実施例に係るパチンコ機１０は、図１に示すように、矩形枠状に形成されて遊技店の図示しない設置枠台に固定される固定枠としての外枠１２の開口前面側に、遊技盤１４が着脱可能に保持される本体枠としての中枠１６が開閉および着脱可能に組み付けられる。遊技盤１４の裏側に対しては、各種図柄を変動表示可能な図柄表示装置１８が配設された箱状部材２０が着脱自在に設けられている。また、前記中枠１６の前面側には、前記遊技盤１４を透視保護するガラス板を備えた装飾枠としての前枠２２が開閉可能に組み付けられると共に、該前枠２２の下方にパチンコ球Ｓを貯留する下球受け皿２４が開閉可能に組み付けられる。なお、実施例では、前記前枠２２の下部位置に、パチンコ球Ｓを貯留する上球受け皿２６が一体的に組み付けられており、前枠２２の開閉に合わせて上球受け皿２６も一体的に開閉するよう構成される。
【００１７】
図２に示すように、前記中枠１６は、上縁をなす上枠部材２８と、下縁をなす下枠部材３６と、左側縁をなす左枠部材３８と、右側縁をなす右枠部材４０とから構成されて、これら上下左右の枠部材２８,３６,３８,４０を組み付けた際に、全体が前記外枠１２の開口に整合する矩形枠状に形成される。そして、前記上下左右の枠部材２８,３６,３８,４０を組み付けた際に前後に開口する開口領域が、前記遊技盤１４を設置する遊技盤設置部４２として機能する。なお、下枠部材３６には、打球発射装置３２、操作ハンドル３４等が設置され、遊技者が操作ハンドル３４を回動操作することで、前記打球発射装置３２がパチンコ球Ｓを発射するようになっている。ここで、前記中枠１６は、左側部(上枠部材２８および下枠部材３６の左端)に配設された支持金具１６ａ,１６ａに対して前記外枠１２の左上端部および左下端部に設けられた支軸(図示せず)を介して枢支され、左側端部を中心として中枠１６を回転させることで、該外枠１２に対して中枠１６を開閉し得るようになっている。また、中枠１６には、左側部に設けた支持片１６ｂが設けられ、該支持片１６ｂおよび前記上側の支持金具１６ａに対して、前記前枠２２が枢支されることで中枠１６に対して前枠２２が開閉可能とされる。
【００１８】
また、前記左枠部材３８における遊技盤設置部４２に臨む上下の枠部材２８,３６の近傍に、回転保持部材４４,４４が配設されると共に、上下の枠部材２８,３６における右端部近傍に、固定手段４６,４６が配設されている。前記回転保持部材４４は、前記遊技盤１４の左側部(一方側部)の前面および側端面に当接するＬ字状に形成されており、該遊技盤１４の右側部が中枠１６の右枠部材４０から前方へ離間した着脱姿勢と、遊技盤１４が遊技盤設置部４２に嵌り込んだ保持姿勢との間で遊技盤１４の左側部を回転可能に支持するよう構成される。前記固定手段４６は、前記保持姿勢に回転された遊技盤１４の右側部(他方側部)を着脱可能に固定するものである。実施例では、前記固定手段４６として、作業者の手指により解除位置および規制位置に回動操作し得る回転レバー式のものが採用されている。そして、前記保持姿勢とした遊技盤１４に対し、上下の固定手段４６,４６を規制位置に回動変位することで、該固定手段４６,４６が遊技盤１４の右側部前面に当接して、遊技盤１４が遊技盤設置部４２から脱離不能に保持されると共に、該固定手段４６,４６を解除位置に回動変位することで、前記回転保持部材４４,４４を介して遊技盤１４を着脱姿勢に回転させ得るよう構成されている。
【００１９】
〔遊技盤について〕
図３に示すように、実施例の遊技盤１４は、盤面に配設されたレール部材４８によりパチンコ球Ｓが流下可能な遊技領域５０が画成された略矩形状のベニヤ板で構成されている。前記遊技盤１４には、前記図柄表示装置１８の表示部１８ａが臨む図柄表示用開口部５１が開設された枠状装飾部材５２が配設されると共に、該枠状装飾部材５２の下方位置に、パチンコ球Ｓが入賞可能な始動口５４,５６を備えた始動入賞装置(上部入賞装置)５８が配設されている。前記始動入賞装置５８には、上下の関係で始動口５４,５６が設けられており、上部始動口５４または下部始動口５６にパチンコ球Ｓが入賞することで、図柄表示装置１８での図柄変動演出が開始されるよう構成される。この図柄変動演出の結果、前記図柄表示装置１８に特定の図柄組合わせ(例えば、同一図柄の三つ揃え)が表示されることで遊技者に有利な大当り(特別遊技)が発生するよう構成されている。前記遊技盤１４における始動入賞装置５８の下方位置には、大当り発生時に特別入賞口(第２の入賞口)６０を開放してパチンコ球Ｓの入賞を許容する特別入賞装置(下部入賞装置,電気部品)６２が配設され、該特別入賞口６０にパチンコ球Ｓが入賞することで、球払出装置(図示せず)から前記上球受け皿２６に賞球が払出されるようになっている。
【００２０】
図４に示すように、前記遊技盤１４には、前記枠状装飾部材５２が配設される大型貫通口６４と、該大型貫通口６４の下方位置において遊技領域５０の左右幅方向の略中央に開設された入賞装置用貫通口６６と、遊技領域５０の左下方(図４では右側方)に開設された三日月状の一般入賞用貫通口６８とが開設されている。前記入賞装置用貫通口６６は、前記始動入賞装置５８が取付けられる上部開口(開口部,第１の開口部)７０と、該上部開口７０の下側に連設されて横長略矩形状の下部開口(第２の開口部)７２とから構成されている。前記一般入賞用貫通口６８には、遊技領域５０に開口する複数の一般入賞口７４を備えた一般入賞装置(電気部品)７６が配設される。
【００２１】
〔始動入賞装置について〕
図５,図６に示すように、前記始動入賞装置５８は、遊技盤１４の前面に臨む取付板７８と、該取付板７８の前側に設けられて、前記上部始動口５４を有する上部球受部８０と、該上部球受部８０の下方に設けられて、前記下部始動口５６を有する下部球受部８２と、取付板７８の後側に配設された始動装置本体(上部本体)８４とから基本的に構成される。また、前記始動入賞装置５８には、前記上部始動口５４に連通して、該上部始動口５４に入賞したパチンコ球Ｓを遊技盤１４の後方へ転動させる上部球通路(球通路)８６と、前記下部始動口５６に連通して、該下部始動口５６に入賞したパチンコ球Ｓを遊技盤１４の後方へ転動させる下部球通路８８(図７参照)とが形成されている。そして、前記始動装置本体８４を遊技盤１４の前記上部開口７０に前側から挿入し、取付板７８を遊技盤１４にネジ止めすることで、始動入賞装置５８が遊技盤１４に取付けられる。図７に示すように、前記始動入賞装置５８が遊技盤１４に取付けられた状態では、前記始動装置本体８４が遊技盤１４の後面から後方へ突出して、上部開口７０を貫通している。
【００２２】
前記上部球受部８０は、図７に示すように、前記取付板７８の上部から前方へ突出すると共に上方および後方へ開放するよう形成され、該上部球受部８０の上方開口が前記上部始動口５４として機能するようになっている。前記取付板７８の後側には、前記上部球受部８０と対応する位置に、後方へ向けて下方傾斜する樋状部９０が一体的に形成されている。前記樋状部９０は、その全長に亘って上方に開放する半円筒状に形成されており、前記上部始動口５４に入賞したパチンコ球Ｓは、上部球受部８０から樋状部９０を介して後方へ転動するようになっている。すなわち、この樋状部９０は、前記上部球通路８６(具体的には、後述する第１通路１０６)の一部(前側部分)を構成している。前記下部球受部８２は、前記取付板７８から前側に離間する前板８２ａと、該前板８２ａの上縁部を除く縁部から後方へ延出して前記取付板７８に当接した前板壁部８２ｂとから上方に開放するよう構成されている。そして、下部球受部８２の上方開口が前記下部始動口５６として機能する。なお、下部球受部８２および取付板７８の間には、前記下部始動口５６を開閉する一対の開閉部材９２,９２が設けられている。
【００２３】
前記始動装置本体８４の上部には、図５に示すように、上方に突出すると共に前後方向に延在する一対の側壁部９４,９６が左右に離間して形成されており、両側壁部９４,９６により上方に開放する上部球通路８６の一部(後側部分)を画成している。左側の側壁部９４(以下、左側壁部という)は、前端部が前記樋状部９０の左方位置において、前記取付板７８の後面に当接するよう形成されている。また、左側壁部９４の後部側には、上方に突出する突壁部９４ａが形成されて、段差形状をなしている。そして、左側壁部９４における高さの低い前側の部位が逃げ凹部９８とされる。すなわち、左側壁部９４における逃げ凹部９８を設けた部位は、上部球通路８６の転動面を規定する始動装置本体８４の上面(以下、転動面８６ａという)からの突出高さが低くなっている。この逃げ凹部９８は、始動装置本体８４を遊技盤１４の上部開口７０に挿入する際に、左側壁部９４が該上部開口７０の縁部に干渉するのを抑制するようになっている。
【００２４】
前記始動装置本体８４の右側の側壁部９６(以下、右側壁部という)は、前記樋状部９０の右側後端部に当接して後方に延在する外側壁１００と、該外側壁１００より左側(左側壁部９４側)に設けられた内側壁１０２とから構成されている。前記内側壁１０２の前端部には、後方へ向かうにつれて左方へ傾斜する傾斜案内部１０４が形成され、該傾斜案内部１０４の前端部が外側壁１００の左側面に接続している。従って、実施例にかかる上部球通路８６は、図５に示す如く、前記樋状部９０、左側壁部９４および外側壁１００により画成されて前記上部始動口５４に連通する第１通路１０６と、該左側壁部９４および内側壁１０２により画成されて第１通路１０６に連通する第２通路１０８とから構成される。そして、上部球通路８６を転動するパチンコ球Ｓは、第１通路１０６から第２通路１０８へ移動する際に、前記傾斜案内部１０４により斜め左方へ案内される。
【００２５】
なお、前記外側壁１００の突出高さは、内側壁１０２より小さく設定されている。すなわち、外側壁１００を内側壁１０２より低く設定することで、前記逃げ凹部９８と同様に、始動装置本体８４を遊技盤１４の上部開口７０に挿入する際に、外側壁１００が該上部開口７０の縁部に干渉するのを抑制している。なお、左側壁部９４の後端部および内側壁１０２の後端部は、左右方向に延在する連結規制壁１１０により連結されており、該連結規制壁１１０により上部球通路８６を転動するパチンコ球Ｓが上部球通路８６から後方へ飛び出すのを規制している。
【００２６】
前記始動装置本体８４における上部球通路８６の後端には、該上部球通路８６を転動したパチンコ球Ｓを下方へ排出する上球排出口(球排出口)１１２が上下方向に開放して形成されている。また、始動装置本体８４には、検知部１１４ａを上球排出口１１２に整合させた状態で上部球検知センサ１１４が配設され、該検知部１１４ａを通過したパチンコ球Ｓを上部球検知センサ１１４が検知するようになっている。なお、図５に示すように、前記上部球検知センサ１１４の前端部に配線１１４Ｘが接続されており、該配線１１４Ｘは、始動装置本体８４の左側部に引き出されている。そして、前記配線１１４Ｘは、始動装置本体８４の左側部に沿って後方へ引き回されて、始動装置本体８４の後部から後方に引き出されている。図４,図７に示すように、前記始動装置本体８４は、前記上球排出口１１２の下方の空間を左右から挟むように延在する一対の延出片１１６,１１６を備えている。両延出片１１６,１１６により、上下方向および後方に開放する球排出路１１８が画成され、前記上球排出口１１２から落下したパチンコ球Ｓが球排出路１１８を介して始動入賞装置５８の機外へ排出されるようになっている。なお、前記始動装置本体８４の後部には、前記上部球通路８６の右側に位置して、前記開閉部材９２,９２を開閉させる第１ソレノイド１２０が設けられている。第１ソレノイド１２０の後部から配線１２０Ｘが導出しており、該配線１２０Ｘは、前記上部球検知センサ１１４の配線１１４Ｘと同様に、始動装置本体８４の後部から後方へ引き出される。
【００２７】
図７に示すように、前記始動装置本体８４の内部には、前記取付板７８に設けた下開口部７８ａを介して下部始動口５６に連通する前記下部球通路８８が前後方向に延在するよう設けられる。また、始動装置本体８４における下部球通路８８の後端には、上下方向に開放する下球排出口１２２が形成される。更に、始動装置本体８４の下部には、下部球通路８８の下方に位置して、下部始動口５６に入賞したパチンコ球Ｓを検知する下部球検知センサ１２４が、その検知部１２４ａを下球排出口１２２に整合させた状態で配設されている。そして、下部始動口５６に入賞したパチンコ球Ｓは、下球排出口１２２および下部球検知センサ１２４を介して、始動入賞装置５８から排出される。なお、図６に示すように、下部球検知センサ１２４の前端部から配線１２４Ｘが導出しており、該配線１２４Ｘは、始動装置本体８４の左側部における前側下部に引き出される。そして、前記配線１２４Ｘは、始動装置本体８４の左側部を斜め上後方へ引き回されて、前記上部球検知センサ１１４と共に始動装置本体８４の後部から後方へ引き出される。
【００２８】
〔特別入賞装置について〕
前記特別入賞装置６２は、図３,図８,図９に示すように、前記遊技盤１４に取着され、前記特別入賞口６０を開設した特別用飾り部１２６と、該特別用飾り部１２６の裏側に配設され、特別入賞口６０を介してパチンコ球Ｓが入賞可能な入賞空間１２８を画成した特別装置本体１３０(下部本体)と、特別入賞口６０を開閉自在に閉成する開閉扉１３２とから基本的に構成される。そして、前記特別装置本体１３０を遊技盤１４の前記下部開口７２に前側から挿入し、特別用飾り部１２６を遊技盤１４にネジ止めすることで、特別入賞装置６２が遊技盤１４に取付けられる。図７に示すように、前記特別入賞装置６２が遊技盤１４に取付けられた状態では、前記特別装置本体１３０が遊技盤１４の後面から後方へ突出して前記始動装置本体８４の下方に位置している。前記特別装置本体１３０の左側後部には、前記開閉扉１３２を開閉させる駆動源としての第２ソレノイド１３４が設けられている。この第２ソレノイド１３４の後部から配線１３４Ｘが導出しており、該配線１３４Ｘは、特別装置本体１３０の左側後部から後方に引き出されている。
【００２９】
前記特別装置本体１３０の上部には、前記始動入賞装置５８の上球排出口１１２の下方に位置して球受部１３６が設けられている。この球受部１３６は、前記特別装置本体１３０から後方に突出する受け面部１３８と、該受け面部１３８の前端縁を除く外周縁から上方に延出する受け壁部１４０とから上方に開放するよう構成され、前記上球排出口１１２から落下したパチンコ球Ｓを球受部１３６で受け止め得るようになっている。前記受け面部１３８は、前方から後方に向かうにつれて左方へ傾斜する斜縁部を備え、後方に突出した台形状に形成される。また、図７に示すように、受け面部１３８は、前方へ向けて下方傾斜しており、その前端縁は、特別装置本体１３０に上下に貫通形成した球放出路１４２の上部開口７０に臨んでいる。すなわち、前記始動入賞装置５８の上球排出口１１２から落下したパチンコ球Ｓは、前記球受部１３６で受け止められて受け面部１３８を転動し、前記球放出路１４２を介して特別入賞装置６２の下方へ排出されるようになっている。なお、前記球放出路１４２は、始動入賞装置５８の下球排出口１２２の下方に位置しており、該下球排出口１２２を介して始動入賞装置５８から排出されたパチンコ球Ｓは、球受部１３６で受け止められることなく、球放出路１４２を通過して遊技盤１４の下方へ排出される。
【００３０】
〔一般入賞装置について〕
前記一般入賞装置７６は、図１０に示すように、前記一般入賞用貫通口６８を前側から覆い得る寸法および形状に形成された装飾板体１４４と、該装飾板体１４４に設けられ、前記一般入賞口７４が上部に形成された複数(実施例では３つ)の一般入賞部１４６,１４６,１４６と、該装飾板体１４４の後側に配設された一般装置本体１４８とから構成される。そして、一般装置本体１４８を一般入賞用貫通口６８に対して前側から挿入し、装飾板体１４４を遊技盤１４にネジ止めすることで、一般入賞装置７６が遊技盤１４に固定される。前記装飾板体１４４の前面には、光透過性を有すると共に光拡散処理が施された一般発光部１５０が設けられている。また、装飾板体１４４には、内部が透視可能なケース体１５２が前方に突出するよう設けられ、ケース体１５２の内部にケース収容空間１５２ａ(図１１参照)が画成されている。このケース収容空間１５２ａには、所要の装飾が施された装飾体(図示せず)が収容されており、遊技盤１４の前方からケース体１５２を介して装飾体が視認可能に構成されている。前記一般入賞部１４６は、前記一般入賞口７４に連通すると共に前後方向に延在する一般樋部１５４を備え、該一般入賞口７４に入賞したパチンコ球Ｓは一般樋部１５４を介して遊技盤１４の後方へ転動する。
【００３１】
前記一般装置本体１４８は、前記一般入賞用貫通口６８の開口形状と略整合する外郭形状をなすと共に、その前後方向の厚みは、遊技盤１４の厚みと略一致している。そして、一般入賞装置７６を遊技盤１４に取付けた状態では、一般装置本体１４８が一般入賞用貫通口６８内に収容され、一般装置本体１４８の後面が遊技盤１４の後面と前後方向において略一致するようになっている。図４に示すように、前記一般装置本体１４８の内部には、前記一般発光部１５０に光を照射して該一般発光部１５０を明輝させる第１一般発光基板１５６が収容されている。また、一般装置本体１４８の内部には、前記ケース体１５２に収容された装飾体を発光させる第２一般発光基板１５８が収容されている。一般装置本体１４８の後面には、矩形状の配線導出口(導入部分)１６０が前後方向に開放して形成され、前記第１,第２一般発光基板１５６,１５８に接続された配線１５６Ｘ,１５８Ｘが、配線導出口１６０を介して遊技盤１４の後方へ引き出されるようになっている。
【００３２】
〔箱状部材について〕
前記箱状部材２０は、図１２に示すように、前記遊技盤１４に対向する略矩形状の対向面部１６２と、該対向面部１６２の周縁部から前方に延出する外周壁部１６４とから前方に開放する箱状に形成され、全体が無色透明の部材で構成されている。外周壁部１６４の前端部には、箱状部材２０の開口外側へ延出する設置固定部１６６が複数形成されている。そして、外周壁部１６４の前端部および設置固定部１６６を遊技盤１４の後面に当接した状態で、各設置固定部１６６を遊技盤１４にネジ止めすることで、箱状部材２０が遊技盤１４に着脱自在に取付けられる。箱状部材２０を遊技盤１４に取付けた状態では、図１１,図１３に示すように、該遊技盤１４および箱状部材２０の間に所要の空間１６８(以下、設置空間という)が画成される。図１４に示すように、前記箱状部材２０には、遊技状態に合わせて発光演出および可動演出を行う上部演出装置(電気部品)１７０および右部演出装置(電気部品)１７２が配設されており、箱状部材２０を遊技盤１４に取付けた状態で、これら演出装置１７０,１７２が前記設置空間１６８に臨むようになっている。また、図１１に示す如く、箱状部材２０を遊技盤１４に取付けた状態で、前記一般入賞装置７６における一般装置本体１４８の後面が前記設置空間１６８に臨み、一般入賞装置７６の配線１５６Ｘ,１５８Ｘが配線導出口１６０から設置空間１６８内に引き出されるようになっている。
【００３３】
前記対向面部１６２には、上下および左右幅の大部分が開口する矩形状の表示開口部１７４が設けられており、以下の説明において、対向面部１６２における表示開口部１７４に対する上下左右に位置する部分について、上対向面部１７６、下対向面部１７８、左対向面部１８０、右対向面部１８２と夫々指称し、該上下左右の対向面部１７６,１７８,１８０,１８２に対応する外周壁部１６４を、上周壁部１８４、下周壁部(下側の外周壁部)１８６、左周壁部１８８、右周壁部１９０と夫々指称するものとする。なお、対向面部１６２の後面には、前記表示開口部１７４を覆うように前記図柄表示装置１８が着脱自在に配設される。
【００３４】
前記上対向面部１７６の前側に配設された上部演出装置１７０は、図示しない制御装置の制御に基づいて、前面に設けた可動体１９２が作動すると共に、前面の略全体が発光するよう構成されている。図１５に示すように、上部演出装置１７０には、前記可動体１９２を駆動させる演出用モータ１９４が左側(図１５では右側)に偏倚して設けられると共に、上部演出装置１７０の前面を発光させる演出用発光基板１９６が左右方向の略中央位置に配設されている。図１５において、前記上対向面部１７６には、前後方向に開放する配線開口１９８,１９８が左右に離間して設けられている。図１５における右側の配線開口１９８には、前記演出用モータ１９４に接続された配線１９４Ｘが挿通されて、該配線１９４Ｘが箱状部材２０の後方に引き出されている。また、図１５において左側の配線開口１９８には、演出用発光基板１９６に接続された配線１９６Ｘが挿通されて、該配線１９６Ｘが箱状部材２０の後方へ引き出されている。前記上対向面部１７６の後面には、第１横案内係止片２００が左右に並んで複数設けられ、図１５における左側の配線開口１９８を介して引き出された前記配線１９６Ｘを第１横案内係止片２００で係止して、右方へ案内するよう構成される。また、上対向面部１７６には、図１５において右側の配線開口１９８に対応する位置に第１下案内係止片２０２が設けられており、前記第１横案内係止片２００で案内された配線１９６Ｘおよび右側の配線開口１９８を介して引き出された配線１９４Ｘを第１下案内係止片２０２で係止して下方へ案内するようになっている。
【００３５】
前記左対向面部１８０の後面上部には、複数のコネクタ受部を備えた上部中継基板(電気部品)２０４が配設され、前記第１横案内係止片２００および第１下案内係止片２０２で案内された上部演出装置１７０の配線１９４Ｘ,１９６Ｘが上部中継基板２０４に接続される。また、左対向面部１８０の後面における上部中継基板２０４の下方には、該上部中継基板２０４から導出する複数の配線(規制部)２０４Ｘを下方に案内する第２下案内係止片２０６が上下に並んで複数設けられている。なお、図１５,図１６等では、便宜上、上部中継基板２０４から導出する配線２０４Ｘを１本のみ図示するが、実際は、図１７に示す如く、上部中継基板２０４から複数の配線２０４Ｘが束となって導出している。図１６,図１７に示すように、前記左対向面部１８０の後面下部には、前記第２下案内係止片２０６で案内された配線２０４Ｘを内側(図１７では、左方)へ案内する第２横案内係止片(遊技機構成部品)２０８が設けられている。すなわち、上部中継基板２０４から導出する配線２０４Ｘは、最も下方に位置する第２下案内係止片２０６から第２横案内係止片２０８に案内される間に図１７の左方へ湾曲されて、当該部位に湾曲部Ａが形成されている。なお、第２横案内係止片２０８は、前記対向面部１６２の後面から後方へ突出する係止片基部２０８ａと、該係止片基部２０８ａの後端部から対向面部１６２と平行に下方へ延出する係止部２０８ｂとから構成されている。
【００３６】
図１２に示すように、前記左対向面部１８０は、左側の縁部における下部側から下端にかけて、上方から下方へ２段階で内側(右方)へ凹む段差形状をなしている。そして、当該段状の縁部から前記左周壁部１８８が前方へ延出して、上下２段の段差部２１０(上側段差部２１０ａおよび下側段差部２１０ｂ)が形成されている(図１６参照)。すなわち、上側段差部２１０ａは、左周壁部１８８の最も外側(左方)に位置する部位(以下、最外壁部２１２という)、左周壁部１８８における該最外壁部２１２から一段内側の部位(以下、上段壁部２１４という)、および最外壁部２１２と上段壁部２１４とを連結する上部連結壁２１６により構成される。また、下側段差部２１０ｂは、前記上段壁部２１４、左周壁部１８８における上段壁部２１４から一段内側の部位(以下、下段壁部２１８という)、および上段壁部２１４と下段壁部２１８とを連結する下部連結壁２２０により構成される。ここで、上下の段差部２１０は、前記箱状部材２０を遊技盤１４に取付けた状態で、図１８に示すように、前記一般入賞装置７６の配線導出口１６０の左方(図１５では、右方)に位置するようになっている。そして、上下の段差部２１０ａ,２１０ｂのうち、前記下段壁部２１８と下部連結壁２２０との連結部分が、前記配線導出口１６０に最も近接する部位(以下、最近接部Ｂという)となっている。
【００３７】
図１９に示すように、前記左周壁部１８８には、前記上段壁部２１４、下部連結壁２２０および下段壁部２１８の前端縁を後方に切り欠いた凹部２２２が形成されている。この凹部２２２は、前記設置空間１６８を箱状部材２０の外部に開放するものであって、該凹部２２２を介して前記一般入賞装置７６の配線１５６Ｘ,１５８Ｘを左周壁部１８８の内側から外側に引き出すよう構成される。ここで、図１８に示すように、前記凹部２２２は、左周壁部１８８において、前記最近接部Ｂを含むよう形成されている。すなわち、配線導出口１６０に近接して凹部２２２を設けることで、前記設置空間１６８内を引き回す一般入賞装置７６の配線１５６Ｘ,１５８Ｘの距離が短くなるよう構成されている。
【００３８】
前記左周壁部１８８には、凹部２２２の後方に位置して配線フック２２４が設けられ、該凹部２２２から引き出された前記一般入賞装置７６の配線１５６Ｘ,１５８Ｘを保持するようになっている。この配線フック２２４は、前記下側段差部２１０ｂを形成する上段壁部(外側の外周壁部)２１４の下端部から当該下側段差部２１０ｂを形成する下段壁部(内側の外周壁部)２１８に対向するよう延出するフック本体２２６と、該フック本体２２６の下端部から内側(図１８では、左方)に突出する係止突部２２８とから構成されている。前記フック本体２２６および左周壁部１８８(下段壁部２１８)の間には、前後および下方に開放する所要の隙間が画成されており、当該隙間に一般入賞装置７６の配線１５６Ｘ,１５８Ｘを挿通させることで該配線１５６Ｘ,１５８Ｘを保持するようになっている。そして、前記配線フック２２４で保持された配線１５６Ｘ,１５８Ｘは、左周壁部１８８の外面に沿って後方へ延在させて、箱状部材２０(下対向面部１７８)の後面へ引き出される。図１９に示すように、前記フック本体２２６の前後幅の寸法は、左周壁部１８８の前後幅より小さく設定されており、配線フック２２４は、左周壁部１８８の内側に収まって該左周壁部１８８から前後に突出しないよう構成される。更に、図１８に示すように、フック本体２２６は、上段壁部２１４の下端部から下方へ真っ直ぐ延出しており、配線フック２２４が上段壁部２１４より外側(左方)に突出しないよう図られている。なお、前記凹部２２２および配線フック２２４は、遊技盤１４が中枠１６の前記回転保持部材４４,４４に支持される左側部(一方側部)と同じ左側の外周壁部１６４(すなわち、左周壁部１８８)に設けられる。
【００３９】
〔下対向面部の前側の構成について〕
図１４,図２０に示すように、前記下対向面部１７８の前側には、前記始動入賞装置５８の始動装置本体８４の後部を収容可能な装置収容部２３０が設けられる。また、下対向面部１７８における装置収容部２３０の左方には、複数の球通路(図示せず)が内部画成されて、前記一般入賞装置７６の一般入賞口７４に入賞したパチンコ球Ｓを機外に排出する球通路部材２３２が配設される。
【００４０】
前記球通路部材２３２は、前後方向に開放する球通入口２３４,２３４,２３４を複数(実施例では、３つ)備えた前板部２３６を備え、各球通入口２３４に連通する前記球通路が該前板部２３６の後側に形成されている。前記箱状部材２０を遊技盤１４に取付けた状態では、各球通入口２３４が前記一般入賞装置７６の対応する一般樋部１５４の後端部に連通し、該一般樋部１５４を転動したパチンコ球Ｓが球通入口２３４を介して球通路に流入するようになっている。前記球通路部材２３２は、前後方向に開放する設置孔が開設された筒状のセンサ保持部２３８,２３８を２つ備え(図１４,図１７参照)、各センサ保持部２３８に磁力を用いた不正行為を検知可能な磁気センサ(遊技機構成部品)２４０が着脱自在に配設される。前記センサ保持部２３８には、磁気センサ係止フック(遊技機構成部品)２４２が後方に突出するよう設けられている。また、前記球通路部材２３２には、後方に開口する検知器保持部２４４,２４４,２４４が３つ設けられており(図１４,図１７参照)、各検知器保持部２４４に、前記球通路を流下したパチンコ球Ｓを検知する一般球検知器(遊技機構成部品)２４６が着脱自在に配設される。図１６に示すように、前記検知器保持部２４４には、検知器係止フック(遊技機構成部品)２４８が後方に突出するよう設けられている。
【００４１】
図１２に示すように、前記下対向面部１７８の下縁部における左右略中央部には、前記装置収容部２３０の下方に位置して、該下縁部を上方へ切り欠いた凹状部２５０が形成され、前記下周壁部１８６における凹状部２５０に対応する部位は、左右方向に延在する下隔壁(下側の外周壁部)２５２とされる。図２０に示すように、前記装置収容部２３０は、前記下隔壁２５２と、前記下対向面部１７８の前面に立設された左収容壁２５４と、該左収容壁２５４から所定間隔右方に離間して該下対向面部１７８の前面に立設された右収容壁２５６と、下対向面部１７８における左右の収容壁２５４,２５６の間の部位(以下、後保護面２５８という)とから構成される。
【００４２】
前記左収容壁２５４は、下端部が下隔壁２５２に連結すると共に、上端部(後述する落下規制壁)が右方へ略直角に折曲した形状とされる。右収容壁２５６は、その下端部が下隔壁２５２から上方に僅かに離間すると共に、その上端部が左方へ略直角に折曲している。すなわち、装置収容部２３０には、左右の収容壁２５４,２５６、下隔壁２５２および後保護面２５８により、略矩形状に前方に開放する空間が画成される。そして、図７に示すように、箱状部材２０を遊技盤１４に取付けた際に、前記始動装置本体８４の後部が装置収容部２３０内に収容されるようになっている。すなわち、前記始動入賞装置５８の始動装置本体８４は、前記箱状部材２０を遊技盤１４に取付けた状態で、下隔壁２５２より上方に位置し、前記設置空間１６８内に臨む(箱状部材の内側に臨む)よう構成される。ここで、前記始動装置本体８４が装置収容部２３０に収容された状態では、該装置本体の一対の延出片１１６,１１６の後端縁が前記後保護面２５８から僅かに離間し、前記球排出路１１８の後方開口が後保護面２５８により閉塞されるようになっている。
【００４３】
前記下対向面部１７８の凹状部２５０は、遊技盤１４の下部開口７２に略整合する開口形状に形成され、前記箱状部材２０を遊技盤１４に取付けた状態で、下部開口７２の後方に臨むようになっている。また、前記下隔壁２５２における左右の両端部には、凹状部２５０の上下方向の縁部から前方に延出する縦壁２６０,２６０が連設されている。前記下隔壁２５２および縦壁２６０,２６０により、前後方向および下方に開放する下部収容空間２６２が画成され、箱状部材２０を遊技盤１４に取付けた状態で、前記特別入賞装置６２における特別装置本体１３０の後部が、下部収容空間２６２内に臨むようになっている。すなわち、図７に示すように、前記始動入賞装置５８および特別入賞装置６２は、前記箱状部材２０の下隔壁(下側の外周壁部)２５２を挟んで上下の関係で配置される。また、特別装置本体１３０の球受部１３６の上端部は、前記下隔壁２５２から僅か下方に離間している。
【００４４】
図１６,図１７に示すように、前記下対向面部１７８には、前記球通路部材２３２のセンサ保持部２３８に対応して、センサ用開口２６４,２６４が前後方向に開放して斜め上下に２つ設けられており、前記磁気センサ係止フック２４２がセンサ用開口２６４を介して下対向面部１７８の後面(後述する設置部取付面３０４)から後方に突出している。そして、磁気センサ２４０をセンサ用開口２６４を介してセンサ保持部２３８に挿入し、前記磁気センサ係止フック２４２がセンサ保持部２３８の後部に係止することで、磁気センサ２４０がセンサ保持部２３８に設置される。磁気センサ２４０がセンサ保持部２３８に設置された状態では、磁気センサ２４０の後部が下対向面部１７８から後方に突出している(図１６参照)。また、前記下対向面部１７８には、上側２つの検知器保持部２４４,２４４に対応して、検知器用開口２６６,２６６が前後方向に開放して斜め上下に２つ設けられており、前記検知器係止フック２４８が各検知器用開口２６６を介して下対向面部１７８の後面から後方に突出している。そして、一般球検知器２４６を検知器用開口２６６を介して検知器保持部２４４に挿入し、前記検知器係止フック２４８が一般球検知器２４６の後部に係止することで、一般球検知器２４６が検知器保持部２４４に設置される。一般球検知器２４６が検知器保持部２４４に設置された状態では、該一般球検知器２４６の後部が下対向面部１７８から後方に突出した状態となる(図１６参照)。なお、下対向面部１７８の下縁部には、最も下位に位置する検知器保持部２４４に対応して上方へ切り欠いた検知器用凹部２６８が形成され、当該検知器保持部２４４に対しては、検知器保持凹部２２２を介して一般球検知器２４６が挿入される。
【００４５】
〔落下規制部について〕
図２０に示すように、前記左収容壁２５４には、上部の屈曲部分から前方に所定長さで延出する落下規制部(規制部)２７０が一体的に形成されている。この落下規制部２７０は、水平面をなす球規制片２７２と、該球規制片２７２の左縁部から下方へ折曲した補強片２７４とから構成される。図７,図１４に示すように、前記落下規制部２７０は、始動装置本体８４が装置収容部２３０に収容された状態で、上部球通路８６を画成する前記左側壁部９４に沿って前後方向に延在するよう構成される。前記落下規制部２７０の下対向面部１７８からの突出量は、該落下規制部２７０の前端部が遊技盤１４から僅かに後方に位置するよう設定される。すなわち、落下規制部２７０は、遊技盤１４の後面から後方に突出する左側壁部９４の大部分をカバーするように延在している。
【００４６】
図１４に示すように、落下規制部２７０は、箱状部材２０を遊技盤１４に取付けた状態で、球規制片２７２の右縁部が上部球通路８６の左側壁部９４の真上に位置するよう構成される。前記球規制片２７２の右縁部が前記左側壁部９４から離間する距離Ｌは、パチンコ球Ｓの直径より小さくなるよう設定されている(図７参照)。ここで、前記左側壁部９４の逃げ凹部９８が設けられた部位は、上部球通路８６の側壁部において上下の高さが低くなっている。しかも、左側壁部９４は、前記第１通路１０６から第２通路１０８へ移行するパチンコ球Ｓの移動方向前方(すなわち、左側)に位置していることから、上部球通路８６を転動するパチンコ球Ｓが左側壁部９４を乗り越えてしまう可能性がある。そこで、実施例では、落下規制部２７０を左側壁部９４に沿うように設けて、パチンコ球Ｓが上部球通路８６から落下するのを防止している。
【００４７】
図７,図２０に示すように、前記下隔壁２５２には、前記始動入賞装置５８の上球排出口１１２と、特別入賞装置６２の球受部１３６との間に位置して、上下方向および前方に開放する球通過口２７６が形成され、上球排出口１１２を介して落下したパチンコ球Ｓを通過させるようになっている。前記球通過口２７６は、下隔壁２５２の前端縁から前記後保護面２５８(対向面部１６２)の僅か前方にかけて前後方向に延在する第１縦縁部２７８と、該第１縦縁部２７８の後端縁から右方へ左右方向に延在する横縁部２８０と、該横縁部２８０の右端縁から前方へ前後方向に延在する第２縦縁部２８２と、該第２縦縁部２８２の前端縁から下隔壁２５２の前端縁にかけて斜め方向に延在する斜縁部２８４とから構成される。前記第２縦縁部２８２の延在長さは、前記第１縦縁部２７８より小さく設定されており、該第２縦縁部２８２の前端縁から延出する斜縁部２８４は、前方に向かうにつれて右方へ傾斜している。すなわち、図２１に示すように、球通過口２７６の右側の縁部(図２１では、左側)は、下隔壁２５２に形成された略三角形状の突出片２５２ａにより画成されている。そして、球通過口２７６の開口形状は、略台形状に形成されて、前記特別入賞装置６２の球受部１３６の外郭形状に略整合する形状とされる。
【００４８】
前記下隔壁２５２の上面には、前記球通過口２７６の後方に位置して球案内部２８６が設けられている。球案内部２８６は、前方に向かうにつれて下方傾斜する傾斜面を有し、該傾斜面の下端縁は、前記球通過口２７６の横縁部２８０に臨んでいる。前記始動入賞装置５８の上球排出口１１２から落下したパチンコ球Ｓが球案内部２８６に接触した際に、パチンコ球Ｓを球通過口２７６へ案内するようになっている。前記下隔壁２５２には、前記球通過口２７６の右側に位置して、該下隔壁２５２の前端縁を後方に切り欠いた始動配線用凹部(配線導出部)２８８が開設されている。この始動配線用凹部２８８は、上下方向および前方に開放した矩形状の開口形状をなしており、図２１に示すように、始動装置本体８４の後部から導出する配線１１４Ｘ,１２０Ｘ,１２４Ｘが始動配線用凹部２８８を介して設置空間１６８の外側へ引き出される。
【００４９】
〔保護部について〕
図２１に示すように、前記下隔壁２５２の下面には、前記球通過口２７６の開口縁に沿うよう保護壁部２９０が下方に向けて突設されている。この保護壁部２９０は、前方に開放した略コ字状に形成されており、前記特別入賞装置６２が下部収容空間２６２に収容された状態で、保護壁部２９０が前記球受部１３６を後方から覆うように構成されている。保護壁部２９０における下隔壁２５２からの突出量は、図７に示すように、保護壁部２９０の下端部が前記球受部１３６の上端部より下方に位置するように設定されている。すなわち、保護壁部２９０は、球受部１３６の上端部および球通過口２７６の上下方向の隙間を閉塞するようになっている。
【００５０】
ここで、図７に示すように、前記始動入賞装置５８の上球排出口１１２と、特別入賞装置６２の球受部１３６との間の空間(以下、落下空間Ｃという)は、箱状部材２０に設けられた前記装置収容部２３０(すなわち、後保護面２５８、左右の収容壁２５４,２５６および下隔壁２５２)および保護壁部２９０によって囲繞されている。すなわち、実施例では、これら装置収容部２３０および保護壁部２９０で構成された保護部２９２により前記落下空間Ｃを覆って保護している。これにより、後述するように、箱状部材２０の後面を引き回される各種配線１５６Ｘ,１５８Ｘ,２０４Ｘや、始動入賞装置５８および特別入賞装置６２自身から導出する配線１１４Ｘ,１２０Ｘ,１２４Ｘ,１３４Ｘが落下空間Ｃへ侵入するのを抑制している。しかも、図２１に示すように、下隔壁２５２の突出片２５２ａが球受部１３６の斜面部に沿うように延在して、球通過口２７６と球受部１３６との間の隙間が小さくなるよう構成されている。これにより、前記配線１５６Ｘ,１５８Ｘ,２０４Ｘ,１１４Ｘ,１２０Ｘ,１２４Ｘ,１３４Ｘが落下空間Ｃへ入り込むのを抑制している。
【００５１】
〔下対向面部の後側の構成について〕
次に、下対向面部１７８の後側の構成について説明する。図１５に示すように、前記下対向面部１７８の後側には、複数のコネクタ受部を備えた３つの中継基板２９４,２９６,２９８(図１５の左側から右側にかけて順に第１下部中継基板２９４、第２下部中継基板２９６、第３下部中継基板２９８という)が配設されている。前記第１下部中継基板２９４および第２下部中継基板(基板)２９６は、夫々、下対向面部１７８の後面に設けた第１基板設置部３００および第２基板設置部３０２に着脱自在に配設されている。前記第１下部中継基板２９４には、前記図柄表示装置１８や制御装置に接続した配線(図示せず)が接続されると共に、前記始動入賞装置５８の第１ソレノイド１２０から導出する配線１２０Ｘが接続される。前記第２基板設置部３０２は、前記下対向面部１７８における装置収容部２３０の後方に位置し、前記第２下部中継基板２９６は、始動入賞装置５８の真後ろに設置される。前記第２下部中継基板２９６に対しては、第１下部中継基板２９４と同様に、前記制御装置に接続した配線が接続されると共に、箱状部材２０に設けられた右部演出装置１７２の配線(図示せず)等が接続される。更に、第２下部中継基板２９６には、前記上部中継基板２０４から導出した配線２０４Ｘや前記一般入賞装置７６から導出した配線１５６Ｘ,１５８Ｘが接続される。なお、始動入賞装置５８の上下の球検知センサ１１４,１２４の配線１１４Ｘ,１２４Ｘは、前記第１〜第３下部中継基板２９４,２９６,２９８を介することなく、前記制御装置に直接接続されるようになっている。
【００５２】
図１６に示すように、前記下対向面部１７８の後面右部から前記左対向面部１８０の後面下部にかけて設置部取付面(後面)３０４が形成されており、該設置部取付面３０４に第３基板設置部材(基板設置部)３０６が着脱自在に配設される。前記第３下部中継基板(基板)２９８は、この第３基板設置部材３０６の後述する設置面３１８に着脱自在に配設され、前記特別入賞装置６２から導出した配線１３４Ｘ等が接続される。このように、実施例に係るパチンコ機１０では、前記始動入賞装置５８や特別入賞装置６２の後方を数多くの配線１１４Ｘ,１２０Ｘ,１２４Ｘ,１３４Ｘ,１５６Ｘ,１５８Ｘ,２０４Ｘが引き回されて、前記第１〜第３下部中継基板２９４,２９６,２９８や制御装置に接続されている。なお、第１〜第３下部中継基板２９４,２９６,２９８は、何れも、不透明な材質で構成されており、各下部中継基板２９４,２９６,２９８を介して該中継基板２９４,２９６,２９８の裏側は視認不能とされる。
【００５３】
〔設置部取付面について〕
図１７に示すように、前記設置部取付面３０４は、箱状部材２０の後面における右隅部に位置しており、前記第２横案内係止片２０８や前記センサ用開口２６４、検知器用開口２６６は、設置部取付面３０４に位置している。そして、図１６に示すように、これら第２横案内係止片２０８や磁気センサ２４０等の遊技機構成部品が前記設置部取付面３０４から後方に突出して、該設置部取付面３０４に第３下部中継基板２９８を直接設置するのは不可能とされる。そこで、実施例では、前記第３下部中継基板２９８が、第３基板設置部材３０６を介して、遊技機構成部品(設置部取付面３０４)から後方に離間した状態で配設される。なお、以下の説明で、第３下部中継基板２９８および設置部取付面３０４の間の空間を基板裏空間Ｄと指称する(図１５参照)。
【００５４】
図１６に示すように、前記設置部取付面３０４には、下周壁部１８６および左周壁部１８８に近接して、２つの位置決め突起３０４ａ,３０４ａが後方に突出するよう設けられている。また、設置部取付面３０４には、下側のセンサ用開口２６４および左周壁部１８８に近接して、後方に開放するネジ孔を有した２つの固定ボス３０４ｂ,３０４ｃが後方に突出して設けられている。なお、図１６において、右側の固定ボス３０４ｂ(以下、案内固定ボスという場合がある)は、前記第２横案内係止片２０８の右側に近接して設けられており、前記上部中継基板２０４からの配線２０４Ｘは、案内固定ボス３０４ｂと第２横案内係止片２０８の係止片基部２０８ａとの間を挿通される。図１７に示す如く、前記設置部取付面３０４には、前記第２横案内係止片２０８の左方に位置して、区画壁３０８が立設されている。この区画壁３０８は、前記基板裏空間Ｄを上下に２分して、前記磁気センサ２４０等の遊技機構成部品が臨む下側空間ｄ１と、該下側空間ｄ１より上方の上側空間ｄ２とに区画するものである。
【００５５】
図１７において、前記区画壁３０８の左端部には、上方に略直角に折曲されて上下方向に延在する縦区画部(壁部)３１０が一体的に形成されている。また、設置部取付面３０４には、前記縦区画部３１０から上方に離間して該縦区画部３１０に対向して左右方向に延在する案内壁(壁部)３１２が立設されている。この案内壁３１２は、前記縦区画部３１０の延在長さと略一致する距離だけ前記区画壁３０８から離間しており、該案内壁３１２および区画壁３０８により左右方向に直線状に延在する配線案内路Ｅが区画形成されている。すなわち、配線案内路Ｅは、前記区画壁３０８により区画された上側空間ｄ２内に形成されている。
【００５６】
図１７における前記案内壁３１２の右端部は、区画壁３０８の右端部と左右方向に一致しており、案内壁３１２および区画壁３０８の右端部間に左右方向に開放する導入口３１４が画成されている。また、前記案内壁３１２の延在長さは、前記区画壁３０８より短く設定されており、図１７における案内壁３１２の左端部は、前記縦区画部３１０の上端部より左方に離間している。そして、縦区画部３１０の上端部および案内壁３１２の左端部の間に、上方に開放する導出口３１６が画成されている。すなわち、導出口３１６は、配線案内路Ｅの延在方向(左右方向)に対して、交差する方向に開口している。前記配線案内路Ｅには、前記上部中継基板２０４に接続された配線２０４Ｘが挿通されるようになっている。すなわち、図１７に示すように、上部中継基板２０４からの配線２０４Ｘは、前記導入口３１４を介して配線案内路Ｅに側方から導入され、前記導出口３１６を介して配線案内路Ｅから上方に引き出される。配線案内路Ｅで案内された配線２０４Ｘは、図１５における左方へ湾曲されて下対向面部１７８の後面を引き回され、前記第２下部中継基板２９６の右上部に設けたコネクタ受部２９６ａに接続される。ここで、前記導出口３１６は、図２２に示すように、前記始動配線用凹部２８８より上方に位置している。また、配線案内路Ｅから導出した配線２０４Ｘが接続されるコネクタ受部２９６ａも、始動配線用凹部２８８より上方に位置している。すなわち、配線案内路Ｅから上方に引き出された配線２０４Ｘは、始動配線用凹部２８８を上方へ迂回するように引き回され、該始動配線用凹部２８８を介して下方に引き出される配線１１４Ｘ,１２０Ｘ,１２４Ｘから極力離間して配線２０４Ｘが延在するように図られている。
【００５７】
〔第３基板設置部材について〕
図２３に示すように、前記第３基板設置部材３０６は、無色透明な合成樹脂で成形された部材であって、第３下部中継基板２９８を設置する矩形板状の設置面３１８と、該設置面３１８の左側縁部における上半部分から左方へ延出するよう形成した配線押え部(後面)３２０とから基本的に構成されている。前記第３基板設置部材３０６には、前記設置面３１８の下縁部に前方に開放する位置決め孔が形成された第１嵌合筒部３２２が形成されている。また、第３基板設置部材３０６には、配線押え部３２０の左縁部に、前方に開放する位置決め孔が形成された第２嵌合筒部３２４が形成されている。更に、第３基板設置部材３０６には、設置面３１８の右側部から右方へ突出するよう筒状の第１ボス受け部３２６が形成されると共に、前記配線押え部３２０の左縁部に平皿状の第２ボス受け部３２８が形成される。そして、前記第１,第２嵌合筒部３２２,３２４に前記設置部取付面３０４の対応する位置決め突起３０４ａ,３０４ａを嵌入させると共に、前記第１,第２ボス受け部３２６,３２８に固定ボス３０４ｂ,３０４ｃの後端部を嵌合させ、両第１,第２ボス受け部３２６,３２８に設けた通孔を介して固定ボス３０４ｂ,３０４ｃにネジ(図示せず)を螺挿することで、第３基板設置部材３０６が設置部取付面３０４に着脱自在に取付けられる。前記第３基板設置部材３０６が設置部取付面３０４に取付けられた状態では、前記第１,第２嵌合筒部３２２,３２４および第１ボス受け部３２６の前端部が設置部取付面３０４に当接する。なお、前記第２ボス受け部３２８に対しては、後述する可変係止部３５２のワッシャ部３５４が共締めされるようになっている。
【００５８】
前記設置面３１８の右側の縁部には、図２３に示すように、前方に延出する右規制壁部(壁部)３３０が該縁部の下端部から上下の略中央部にかけて形成されている。また、設置面３１８の下側の縁部には、全体に亘って下規制壁部(壁部)３３２が前方に延出するよう形成されている。更に、設置面３１８の左側の縁部には、該縁部の下端部から前記配線押え部３２０に至る部位にかけて左規制壁部(壁部)３３４が前方に延出するよう形成されている。なお、前記下規制壁部３３２の右部および右規制壁部３３０の下端部から前記第１ボス受け部３２６に至る部位にかけて、後方に切り欠かれた隅部凹部３３６が形成されている。ここで、前記下規制壁部３３２の隅部凹部３３６を除く部位および左規制壁部３３４の後端部は、前記第１,第２嵌合筒部３２２,３２４や第１ボス受け部３２６の後端部と前後方向において一致している。また、右規制壁部３３０における前記隅部凹部３３６を除く部位も、後端部が前記第１嵌合筒部３２２等と前後方向において同一高さとなっている。従って、前記第３基板設置部材３０６が設置部取付面３０４に取付けられた状態では、左右および下規制壁部３３４,３３０,３３２の前端部が設置部取付面３０４に当接するよう構成される。なお、前記右規制壁部３３０には、前記第１ボス受け部３２６の下方に位置してセンサ用凹部３３８が前方に開放するよう形成されている。このセンサ用凹部３３８に対しては、図２１に示すように、第３基板設置部材３０６を設置部取付面３０４に取付けた状態で、磁気センサ２４０の後端部が臨んで、該磁気センサ２４０が右規制壁部３３０に干渉しないようになっている。
【００５９】
また、設置面３１８の上縁部に対しては、図１３,図２４に示すように、第３基板設置部材３０６が設置部取付面３０４に取付けられた状態で、前記案内壁３１２の後縁部が前側から当接している。更に、前記設置面３１８の右縁部における右規制壁部３３０が設けられていない部位には、図２１に示すように、前記縦区画部３１０の後縁部が前側から当接するよう構成される。このように、第３基板設置部材３０６が設置部取付面３０４に取付けられた状態では、各規制壁部３３０,３３２,３３４や案内壁３１２等の前後幅の分だけ設置面３１８が設置部取付面３０４から後方に離間して、図１３に示す如く、当該設置面３１８および設置部取付面３０４との間に前記基板裏空間Ｄが画成される。
【００６０】
図２５に示すように、前記設置面３１８の後面は、上下方向に長尺な平坦面で構成される。この設置面３１８の周縁部には、設置リブ３４０が後方に延出するよう設けられており、該設置リブ３４０が囲繞する領域が第３下部中継基板２９８の設置領域とされる。図２５において、設置リブ３４０の左側上下の隅部には、設置リブ３４０の後縁部から設置領域側に延出するコーナー係止片３４２,３４２が夫々設けられている。図２５において、設置リブ３４０の右側における左規制壁部３３４に対応する部位には、フック用切欠部３４４が後方に開放するよう形成され、左規制壁部３３４から後方に延出する基板固定フック３４６が、フック用切欠部３４４を介して設置リブ３４０の後端部から後方に突出している。そして、前記第３下部中継基板２９８の上下の隅部を前記コーナー係止片３４２に係止させたもとで、該第３下部中継基板２９８の側縁部を前記基板固定フック３４６に係合させることで、第３下部中継基板２９８が設置面３１８に着脱自在に取付けられる。第３下部中継基板２９８が設置面３１８に取付けられた状態では、前記基板裏空間Ｄが第３下部中継基板２９８により後方から覆われて、該第３下部中継基板２９８を介して基板裏空間Ｄを後方から視認するのは不能とされる。
【００６１】
図２３に示すように、前記設置面３１８の前面における略下側半分には、前方に突出する柱状の規制突起(規制部)３４８が複数設けられている。この規制突起３４８の設置領域は、図１３に示す如く、前記設置面３１８において、前記基板裏空間Ｄの下側空間ｄ１に対応している。各規制突起３４８の設置面３１８からの突出長さは、前記下規制壁部３３２や右規制壁部３３０の前後幅より僅かに小さく設定されており、第３基板設置部材３０６を設置部取付面３０４に取付けた状態で、各規制突起３４８の前端が設置部取付面３０４から僅かに離間する。また、規制突起３４８は、前記磁気センサ２４０や一般球検知器２４６に干渉しない位置において設置面３１８に略格子状に配置されており、図１３,図２４に示すように、第３基板設置部材３０６を設置部取付面３０４に取付けた状態で、前記下側空間ｄ１を格子状の小さな空間に分割するようになっている。
【００６２】
すなわち、この規制突起３４８は、下側空間ｄ１を小さな領域に分割することで、所定サイズの不正部品Ｆが、下側空間ｄ１へ設置されるのを防止するべく機能する。ここで、不正部品Ｆは、例えば、始動入賞装置５８や特別入賞装置６２を誤作動させたり、予め設定された制御条件とは異なった制御条件で前記制御装置に遊技を実行させるための基板や装置、器具等を指している。また、規制突起３４８により空間を分割するとは、不正行為を実行するために必要となる不正部品Ｆの大きさを想定して、この想定した不正部品Ｆが設置し得ない空間(以後、分割スペースｄ３という)に前記基板裏空間Ｄを分断または区分けすることを意味する。換言すれば、規制突起３４８の設置態様は、想定された不正部品Ｆが設置不能な分割スペースｄ３を画成するように適宜設定される。
【００６３】
ここで、前述のように、前記区画壁３０８により分割された上側空間ｄ２(配線案内路Ｅ)は、前記不正部品Ｆが設置不能な狭小なスペース(すなわち、分割スペースｄ３)とされる。しかも、配線案内路Ｅには、前記上部中継基板２０４からの複数の配線２０４Ｘが挿通されることで、上側空間ｄ２は当該配線２０４Ｘによって略充塞されることとなる。すなわち、基板裏空間Ｄを分割する区画壁３０８や上側空間ｄ２を充塞する上部中継基板２０４の配線２０４Ｘは、前記規制突起３４８と同様に、前記不正部品Ｆを設置不能とする規制部として機能している。ここで、基板裏空間Ｄを充塞するとは、基板裏空間Ｄを規制部(配線２０４Ｘ)で完全に埋めた状態に限られず、前記不正部品Ｆが設置不能となる程度に規制部が基板裏空間Ｄ内を占有した状態を意味している。
【００６４】
図２４に示すように、基板設置部材３０６が設置部取付面３０４に取付けられた状態では、前記基板裏空間Ｄを囲繞した状態となる。すなわち、前記下規制壁部３３２、左右の規制壁部３３４,３３０、案内壁３１２および縦区画部３１０は、規制部としての区画壁３０８や規制突起３４８の設置領域を囲繞するように設けられ、これにより基板裏空間Ｄへの前記不正部品Ｆの侵入を防止している。
【００６５】
図２５に示すように、前記配線押え部３２０は、図２５における左側の下部に傾斜部３２０ａが形成された略五角形状の板体であって、前記第３基板設置部材３０６を設置部取付面３０４に取付けた際に、前記第２横案内係止片２０８を後方から覆って、上部中継基板２０４から導出する配線２０４Ｘの湾曲部Ａを後方から保護するものである。第３基板設置部材３０６を設置部取付面３０４に取付けた状態では、配線押え部３２０の前面が前記第２横案内係止片２０８の係止部２０８ｂに当接して、配線押え部３２０および設置部取付面３０４の間に配線２０４Ｘが挿通される。配線押え部３２０の下縁部および傾斜部３２０ａには、押え部壁部３５０が前方に延出している。この押え部壁部３５０は、前記左規制壁部３３４や下規制壁部３３２の前後幅と同一に設定されており、第３基板設置部材３０６を設置部取付面３０４に取付けた状態で、押え部壁部３５０の前端部が設置部取付面３０４に当接するようになっている。
【００６６】
図２５に示すように、前記配線押え部３２０の後面(箱状部材の後面)には、前記可撓変形自在に構成された可変係止部３５２が設けられている。この可変係止部３５２は、ワッシャ部３５４と、該ワッシャ部３５４から延出する可変部３５６とから構成されており、ワッシャ部３５４の通孔および前記第２ボス受け部３２８の通孔を介して案内固定ボス３０４ｂにネジを螺挿することで、可変係止部３５２が配線押え部３２０に取付けられる。図１５に示すように、可変係止部３５２は、前記配線フック２２４および前記第２下部中継基板２９６の間に位置し、該配線フック２２４に係止された一般入賞装置７６の配線１５６Ｘ,１５８Ｘを可変係止部３５２の可変部３５６で保持して、第２下部中継基板２９６へ案内するものである。前記可変部３５６は、可撓変形可能な金属等で構成されて、所望の形状に変形し得るようになっている。すなわち、配線フック２２４を介して箱状部材２０の後面を引き回される配線１５６Ｘ,１５８Ｘの数量や延在方向に応じて、可変部３５６を形状変形させることで、一般入賞装置７６からの配線１５６Ｘ,１５８Ｘを最適な位置および姿勢で保持し得るものである。なお、可変係止部３５２で保持された配線１５６Ｘ,１５８Ｘは、前記第３下部中継基板２９８を通過して、前記第２下部中継基板２９６に接続される。
【００６７】
〔実施例の作用〕
次に、前述のように構成された実施例に係るパチンコ機１０の作用につき説明する。
【００６８】
遊技盤１４に箱状部材２０を配設する際には、遊技盤１４の後側に箱状部材２０の設置固定部１６６を当接させたもとでネジ止めして、箱状部材２０が遊技盤１４に固定される。箱状部材２０が遊技盤１４に取付けられると、遊技盤１４および箱状部材２０の間に設置空間１６８が画成され、箱状部材２０に配設された各種演出装置１７０,１７２が設置空間１６８内に臨む。また、遊技盤１４に配設された一般入賞装置７６の後面が前記設置空間１６８に臨み、前記配線導出口１６０が設置空間１６８内で開口した状態となる(図１８参照)。前記遊技盤１４の後側に箱状部材２０を配設すると、図７に示すように、前記上部開口７０を介して遊技盤１４の後方へ突出する始動入賞装置５８の始動装置本体８４が、箱状部材２０の装置収容部２３０に収容される。すなわち、前記箱状部材２０の左右の収容壁２５４,２５６が、始動入賞装置５８の上球排出口１１２および特別入賞装置６２の球受部１３６の間の落下空間Ｃを左右から挟むと共に、箱状部材２０の後保護面２５８が落下空間Ｃの後側を覆う。
【００６９】
また、前記遊技盤１４の下部開口７２を介して該遊技盤１４の後方に突出する特別入賞装置６２の特別装置本体１３０が箱状部材２０の下部収容空間２６２に収容される。このとき、図２１に示すように、特別入賞装置６２の球受部１３６が前記保護壁部２９０に整合状態で臨み、保護壁部２９０が球受部１３６を囲んだ状態となる。すなわち、図７に示すように、前記装置収容部２３０および保護壁部２９０からなる保護部２９２によって、落下空間Ｃが後側から囲繞される。始動入賞装置５８の後部から導出する配線１１４Ｘ,１２０Ｘ,１２４Ｘは、前記始動配線用凹部２８８を介して箱状部材２０の下方に引き出される。そして、第１ソレノイド１２０の配線１２０Ｘは、前記第１下部中継基板２９４に、上下の球検知センサ１１４,１２４の配線１１４Ｘ,１２０Ｘは、夫々、前記制御装置に接続される。このとき、始動入賞装置５８から導出する配線１１４Ｘ,１２０Ｘ,１２４Ｘは、球通過口２７６とは異なる始動配線用凹部２８８を挿通されるので、当該配線１１４Ｘ,１２０Ｘ,１２４Ｘが落下空間Ｃに入り込むことはない。
【００７０】
また、前記落下空間Ｃは保護部２９２により囲繞されているので、前記始動配線用凹部２８８から引き出された配線１１４Ｘ,１２０Ｘ,１２４Ｘを引き回す際に、該配線１１４Ｘ,１２０Ｘ,１２４Ｘが落下空間Ｃに入り込むのは防止される。しかも、保護壁部２９０の下端部が球受部１３６の上端部より下方に位置するので、球通過口２７６および球受部１３６の隙間から前記配線１１４Ｘ,１２０Ｘ,１２４Ｘが入り込むのを更に困難とし得る。また、保護壁部２９０は、球受部１３６を囲うように保護するので、下隔壁２５２および球受部１３６の間の隙間に対し、配線１１４Ｘ,１２０Ｘ,１２４Ｘが、後方からだけでなく側方から入り込むのを抑制することができる。また、下隔壁２５２の突出片２５２ａが球受部１３６の斜面部に沿うよう延在するので、球通過口２７６と球受部１３６との間の隙間が小さくなって、当該隙間から前記配線１１４Ｘ,１２０Ｘ,１２４Ｘが入り込むのは抑制される。なお、特別入賞装置６２の後部から導出する配線１３４Ｘは、下部収容空間２６２を介して箱状部材２０の後方へ引き出される。図７,図１４に示すように、前記始動装置本体８４が装置収容部２３０に収容された状態では、前記落下規制部２７０が上部球通路８６の左側壁部９４に沿って延在し、前記球規制片２７２が左側壁部９４の上端から僅かに上方に離間して位置する。
【００７１】
前記配線導出口１６０から導出する一般入賞装置７６の配線１５６Ｘ,１５８Ｘは、図１８に示すように、前記左周壁部１８８の凹部２２２へ向けて前記設置空間１６８を右方へ引き回され、凹部２２２を介して設置空間１６８の外側に引き出される。すなわち、実施例に係るパチンコ機１０では、設置空間１６８に臨む前記配線１５６Ｘ,１５８Ｘは、凹部２２２を介して箱状部材２０の後側へ引き出されるので、対向面部１６２等に設けた挿通孔に配線１５６Ｘ,１５８を挿通させる構成に較べて、配線処理が容易となる。また、前記凹部２２２は、左周壁部１８８における最近接部Ｂを含む部位に形成されているから、一般入賞装置７６の配線１５６Ｘ,１５８Ｘが前記設置空間１６８内を引き回される距離を極力短くし得る。すなわち、前記設置空間１６８内での配線処理が容易となって、箱状部材２０を遊技盤１４に取付ける際の作業性が向上される。しかも、設置空間１６８内を引き回す配線１５６Ｘ,１５８Ｘの距離が短くなることで、該設置空間１６８内に臨む前記演出装置１７０,１７２等の各種部品に配線１５６Ｘ,１５８Ｘが干渉するリスクを低減することが可能となる。
【００７２】
前記凹部２２２から設置空間１６８の外側に引き出された配線１５６Ｘ,１５８Ｘは、図１９に示すように、前記配線フック２２４に係止させて左周壁部１８８に沿って後方へ引き回される。すなわち、凹部２２２から引き出された配線１５６Ｘ,１５８Ｘは、配線フック２２４により保持されるので、該配線１５６Ｘ,１５８Ｘが撓んで箱状部材２０の外方へ飛び出すのを防止抑制することができる。これにより、遊技盤１４や箱状部材２０の清掃等のメンテナンス時に、作業者が配線１５６Ｘ,１５８Ｘに引っ掛かり難くなって、作業効率が低下したり、断線が発生したりするのを抑制し得る。左周壁部１８８に沿って箱状部材２０の後方へ引き出された配線１５６Ｘ,１５８Ｘは、前記可変係止部３５２の可変部３５６に係止され、図１１に示すように、箱状部材２０の後面(下対向面部１７８)を左方へ案内されて前記第２下部中継基板２９６に接続される。このように、配線フック２２４から第２下部中継基板２９６に至る間に、配線１５６Ｘ,１５８Ｘを可変係止部３５２で更に保持するようにしたので、該配線１５６Ｘ,１５８Ｘがより確実に保持されて、配線１５６Ｘ,１５８Ｘの撓みを効果的に防止することができる。しかも、可変係止部３５２の可変部３５６は、可撓変形自在に構成されるので、配線１５６Ｘ,１５８Ｘの数量や引き回し態様に応じて可変部３５６の形状を適宜変形させることができ、配線１５６Ｘ,１５８Ｘを確実に保持することが可能となる。なお、前記落下空間Ｃは保護部２９２により保護されているので、前記配線１５６Ｘ,１５８Ｘを第２下部中継基板２９６へ向けて引き回す際に、該配線１５６Ｘ,１５８Ｘが落下空間Ｃに入り込むのは防止される。
【００７３】
ここで、箱状部材２０の左周壁部１８８は、遊技盤１４を中枠１６の遊技盤設置部４２に着脱する際に、回転保持部材４４に支持される遊技盤１４の左側部と同じ側に位置している。すなわち、遊技盤１４を着脱姿勢および保持姿勢に回転変位させる際に、軸側となる箱状部材２０の左側部は、作業者の手指が届き難く、また目視による確認が困難な箇所となる。そこで、箱状部材２０の左周壁部１８８に沿って引き回される配線１５６Ｘ,１５８Ｘを配線フック２２４で確実に保持することで、該配線１５６Ｘ,１５８Ｘが撓むのが抑制されて、作業者は配線１５６Ｘ,１５８Ｘを気にすることなく遊技盤１４の着脱作業を行うことが可能となる。しかも、図１９に示すように、前記配線フック２２４は、左周壁部１８８の内側に収まっており、箱状部材２０を遊技盤１４に取付ける際に、配線フック２２４が遊技盤１４や箱状部材２０の後側の部品等に干渉することはない。また、配線フック２２４は、左周壁部１８８における段差部２１０(下側段差部２１０ｂ)に設けたので、図１８に示すように、配線１５６Ｘ,１５８Ｘを配線フック２２４に引っ掛けるためのスペースを段差部２１０を利用して確保することができ、配線１５６Ｘ,１５８Ｘを配線フック２２４に容易に係止し得る。しかも、配線フック２２４のフック本体２２６は、上段壁部２１４の下端部から下方へ真っ直ぐ延出して、配線フック２２４が上段壁部２１４より外側に突出しないので、配線フック２２４が邪魔になることはない。
【００７４】
前記上部演出装置１７０の演出用発光基板１９６に接続された配線１９６Ｘは、図１５の左側の配線開口１９８を介して箱状部材２０の後方へ引き出され、複数の第１横案内係止片２００により図１５の右側へ案内される。また、上部演出装置１７０の演出用モータ１９４から導出する配線１９４Ｘは、図１５の右側の配線開口１９８を介して箱状部材２０の後方へ引き出され、前記演出用発光基板１９６の配線１９６Ｘと共に第１下案内係止片２０２に係止されて下方へ案内される。そして、両配線１９４Ｘ,１９６Ｘは、前記上部中継基板２０４に中継接続される。また、上部中継基板２０４から導出する複数の配線２０４Ｘを第２下案内係止片２０６で係止して、左対向面部１８０の後面に沿って下方へ延在させる。図１７に示すように、左対向面部１８０の下部に到来した配線２０４Ｘを、前記第２横案内係止片２０８に保持させて、図１７の左方へ湾曲させる。そして、導入口３１４を介して配線２０４Ｘを配線案内路Ｅに挿入し、該配線２０４Ｘは、配線案内路Ｅに沿って延在されて導出口３１６から引き出される。配線案内路Ｅから引き出された配線２０４Ｘは、図１７に示す如く、左方へ湾曲されて、前記第２下部中継基板２９６に接続される。このように、実施例に係るパチンコ機１０では、区画壁３０８および案内壁３１２により配線案内路Ｅが画成されているので、該配線案内路Ｅにより配線２０４Ｘを確実に案内することができる。
【００７５】
ここで、前記配線案内路Ｅの導出口３１６は、上方に開放されており、前記配線２０４Ｘは、配線案内路Ｅから上方へ引き出される。しかも、図２２に示すように、前記導出口３１６は、始動配線用凹部２８８より上方に位置している。従って、配線案内路Ｅから引き出した配線２０４Ｘは、始動配線用凹部２８８から迂回するように引き回される。すなわち、図１５に示すように、配線案内路Ｅから導出した配線２０４Ｘが、始動配線用凹部２８８や該始動配線用凹部２８８から引き出される始動入賞装置５８の配線１１４Ｘ,１２０Ｘ,１２４Ｘの周囲や後方を延在するのは防止され、始動配線用凹部２８８や始動入賞装置５８の配線１１４Ｘ,１２０Ｘ,１２４Ｘが配線案内路Ｅで案内された配線２０４Ｘで覆われるのを防止し得る。従って、始動入賞装置５８の配線１１４Ｘ,１２０Ｘ,１２４Ｘや始動配線用凹部２８８に対して不正器具(図示せず)等が設置された場合でも、当該不正器具が配線案内路Ｅで案内された配線２０４Ｘで隠れてしまうのを防止し得る。しかも、前述のように、前記落下空間Ｃは箱状部材２０の保護部２９２により後側から囲繞されているので、配線案内路Ｅから引き出された配線２０４Ｘが落下空間Ｃに入り込むのは防止される。
【００７６】
前記配線案内路Ｅに配線２０４Ｘを案内させた状態で、設置部取付面３０４に基板設置部材３０６を取付け、該基板設置部材３０６の設置面３１８に第３下部中継基板２９８を配設する。すなわち、第３下部中継基板２９８は、磁気センサ２４０等の遊技機構成部品が後方に突出する設置部取付面３０４から離間するよう配設され、該第３下部中継基板２９８(設置面３１８)および設置部取付面３０４の間に基板裏空間Ｄが画成される。基板設置部材３０６を設置部取付面３０４に取付けると、配線案内路Ｅを案内される配線２０４Ｘが前記設置面３１８により後方から押えられる。このように、実施例では、配線案内路Ｅで配線２０４Ｘを保持した状態で基板設置部材３０６を設置部取付面３０４に取付けることができるので、基板設置部材３０６の取付作業を効率的に行い得る。なお、実施例では、配線案内路Ｅの導出口３１６は、該配線案内路Ｅの延在方向に対して交差する方向に開口しているので、配線案内路Ｅが左右に直線的に貫通しないようになっている。従って、導入口３１４および導出口３１６の両側から針金等を挿入させて、配線案内路Ｅに対して不正行為をするのは困難とされる。
【００７７】
図１３に示すように、前記基板設置部材３０６が設置部取付面３０４に取付けられると、複数の規制突起３４８が前記基板裏空間Ｄの下側空間ｄ１に臨み、該下側空間ｄ１を複数の分割スペースｄ３に分割する。すなわち、複数の規制突起３４８によって、下側空間ｄ１から不正部品Ｆを設置可能がスペースがなくなって、下側空間ｄ１に不正部品Ｆを設置するのは不可能とされる。また、前記区画壁３０８は、基板裏空間Ｄを上下の空間に分割して、上側空間ｄ２を前記不正部品Ｆが設置不能な分割スペースｄ３としている。しかも、図１７に示すように、当該上側空間ｄ２(配線案内路Ｅ)には、複数の配線２０４Ｘが延在することで、上側空間ｄ２が配線２０４Ｘにより充塞されることから、上側空間ｄ２(配線案内路Ｅ)に不正部品Ｆが設置されるのを防止し得る。
【００７８】
図２１に示すように、基板設置部材３０６を設置部取付面３０４に取付けると、基板裏空間Ｄは、前記左右の規制壁部３３４,３３０、下規制壁部３３２、案内壁３１２および縦区画部３１０により囲繞される。すなわち、これらの壁部３３４,３３０,３３２,３１２,３１０によって基板裏空間Ｄを上下左右から囲うことで、前記不正部品Ｆが基板裏空間Ｄへ侵入されるのを防止している。なお、箱状部材２０に規制突起３４８を設けた場合、前記基板設置部材３０６の形状や遊技機構成部品２４０,２４２,２４６,２４８等の存在により設置箇所が制限されて、規制突起３４８の設置自由度が抑制されたり設計変更等が困難となる虞がある。そこで、実施例では、箱状部材２０とは別体の基板設置部材３０６に規制突起３４８を設けることで、設置部取付面３０４の形状や前記遊技機構成部品２４０,２４２,２４６,２４８の設置態様に応じて、規制突起３４８の設置位置や形状等を容易に変更し得るようになっている。
【００７９】
しかも、実施例では、下側空間ｄ１を分割する規制部として、複数の柱状の規制突起３４８を採用したので、当該下側空間ｄ１全体を閉塞する大きさの規制部を採用した場合に較べ、材料費の抑制および基板設置部の軽量化を図ることが可能となる。一方、規制部としての区画壁３０８は、配線２０４Ｘを案内し得るよう左右方向に延在する壁状に形成した。すなわち、配線案内路Ｅを画成する区画壁３０８を、規制突起３４８とは異なる壁状に構成することで、配線２０４Ｘをスムーズに案内し得るようになっている。なお、図２１に示すように、前記第３下部中継基板２９８には、前記特別入賞装置６２から導出する配線１３４Ｘが接続される。この場合においても、前記落下空間Ｃは保護部２９２により保護されるので、前記配線１３４Ｘが落下空間Ｃに入り込むのは防止される。
【００８０】
次に、実施例に係るパチンコ機１０の遊技時における作用につき説明する。前記遊技領域５０に打出されたパチンコ球Ｓは、遊技盤１４に設けた遊技釘等に接触して流下方向を変化させながら流下する。前記始動入賞装置５８の上部始動口５４にパチンコ球Ｓが入賞すると、前記樋状部９０を介してパチンコ球Ｓが上部球通路８６を後方へ転動する。すると、図５に示すように、パチンコ球Ｓは、上部球通路８６の第１通路１０６を後方に真っ直ぐ転動した後、傾斜案内部１０４により左方へ誘導されて第２通路１０８へ移行する。このとき、傾斜案内部１０４によりパチンコ球Ｓが左側壁部９４側へ誘導されるため、パチンコ球Ｓの勢いによっては、パチンコ球Ｓが左側壁部９４を乗り越えてしまう虞がある。しかるに、実施例に係るパチンコ機１０では、落下規制部２７０が左側壁部９４に沿って延在するので、仮にパチンコ球Ｓが左側壁部９４を乗り越えようとしても、球規制片２７２がパチンコ球Ｓに接触して、該パチンコ球Ｓが上部球通路８６から落下するのは防止される。しかも、球規制片２７２は、左側壁部９４の上端部からパチンコ球Ｓの直径より小さい距離だけ離間しているから、球規制片２７２および左側壁部９４の間からパチンコ球Ｓが落下することはない。なお、実施例では、左側壁部９４に逃げ凹部９８が設けられて、当該部位の上下の高さは低くなっており、パチンコ球Ｓが落下し易い傾向にある。そこで、図７に示すように、落下規制部２７０を左側壁部９４の逃げ凹部９８に臨むよう延在させて、当該部位をパチンコ球Ｓが乗り越えるのを防止している。
【００８１】
上部球通路８６を後方へ転動したパチンコ球Ｓは、前記上球排出口１１２を介して上部球通路８６から下方へ排出され、上部球検知センサ１１４の検知部１１４ａを通過する。すると、前記上部球検知センサ１１４がパチンコ球Ｓを検知して、前記特別図柄表示装置１８において図柄変動演出が開始されると共に、所定数の賞球が払出される。そして、上部球検知センサ１１４の検知部１１４ａを通過したパチンコ球Ｓは、両延出片１１６,１１６の間の球排出路１１８(落下空間Ｃ)を落下して前記球通過口２７６を通過し、特別入賞装置６２の球受部１３６で受け止められる。ここで、前述のように、前記落下空間Ｃに対して各配線１１４Ｘ,１２０Ｘ,１２４Ｘ,１３４Ｘ,１５６Ｘ,１５８Ｘ,２０４Ｘが入り込むのは保護部２９２により規制されるので、落下空間Ｃを落下するパチンコ球Ｓが当該配線１１４Ｘ,１２０Ｘ,１２４Ｘ,１３４Ｘ,１５６Ｘ,１５８Ｘ,２０４Ｘに接触することはない
【００８２】
すなわち、落下空間Ｃを落下するパチンコ球Ｓに配線１１４Ｘ,１２０Ｘ,１２４Ｘ,１３４Ｘ,１５６Ｘ,１５８Ｘ,２０４Ｘが干渉するのを防止して、球受部１３６でパチンコ球Ｓを確実に受け止めることが可能となる。また、落下空間Ｃに入り込んだ配線１１４Ｘ,１２０Ｘ,１２４Ｘ,１３４Ｘ,１５６Ｘ,１５８Ｘ,２０４Ｘにパチンコ球Ｓが引っ掛かって、球詰まりが発生するのを好適に防止することが可能となる。なお、前記下隔壁２５２の上面に設けた球案内部２８６にパチンコ球Ｓが接触した場合には、該球案内部２８６によりパチンコ球Ｓが球通過口２７６へ向けて案内される。すなわち、下隔壁２５２および後保護面２５８の隅部に球案内部２８６を設けることで、パチンコ球Ｓが当該隅部に滞留するのを防止している。
【００８３】
〔変更例〕
なお、遊技機の構成としては、実施例のものに限らず、種々の変更が可能である。
(１)  実施例では、規制部(落下規制部)が左側壁部に沿って延在するよう設けたが、例えば、球通路(上部球通路)の上方を規制部が覆うように延在するようにしてもよい。すなわち、規制部としては、球通路から遊技球が落下しようとしたときに該遊技球に接触して、球通路から遊技球が落下するのを阻止し得る構成であれば、適宜変更可能である。
(２)  実施例では、始動入賞装置の上部球通路に対して規制部を設けたが、例えば、特別入賞装置が上方に開放する球通路を備えている場合には、特別入賞装置の球通路に対して規制部を設けてもよい。
(３)  実施例では、始動入賞装置に上下に２つの球通路を形成した場合を例示したが、始動入賞装置に上部球通路のみを設けてもよい。
(４)  実施例では、別体の基板設置部(基板設置部材)を介して箱状部材(箱状部材)に基板(第３下部中継基板)を取付けたが、箱状部材に基板設置部を一体的に形成してもよい。また、基板設置部として、基板の四隅を支持する構成を採用し、設置面を介さずに基板を箱状部材に設置するようにしてもよい。この場合、基板および箱状部材の後面の間の空間に対して、箱状部材の後面に設けた規制部が臨むようにすればよい。
(５)  実施例では、下側空間に臨む規制部として規制突起を採用したが、基板裏空間を分割または閉塞するものであれば、例えば、区画壁の如く、壁状の規制部を複数形成したり、基板裏空間を埋める１つの規制部を採用してもよい。
(６)  実施例では、規制突起が設置面に対し垂直に前方へ突出する構成としたが、例えば、設置面から斜め前方へ突出したり、基板設置部の壁部(規制壁部)から箱状部材の後面に対し平行に突出する規制突起を採用してもよい。
(７)  実施例では、設置部取付面に画成した配線案内路に配線を挿通する構成としたが、必ずしも、基板裏空間に配線を挿通させる必要はない。そして、基板裏空間に配線を挿通させない場合には、配線案内路を画成する必要はなく、また、全ての規制部を規制突起とすることができる。
(８)  実施例では、第３下部中継基板の基板裏空間に規制部を設けたが、他の基板と箱状部材との間に空間が画成された構成であれば、当該他の基板の空間に規制部を設けてもよい。
(９)  実施例では、箱状部材の後面(設置部取付面)から突出する遊技機構成部品として、磁気センサや係止フック等を例示したが、遊技機構成部品としては、遊技盤や箱状部材に設けられて該箱状部材の後面から突出するものであれば、他の如何なる部材や部品であってもよい。
(１０)  実施例では、上部中継基板から導出する配線を配線案内路に挿通する構成としたが、配線案内路を挿通する電気部品の配線としては、演出装置や発光装置等、他の如何なる部材から導出する配線であってもよい。
(１１)  実施例では、箱状部材の左周壁部に凹部を設けたが、外周壁部の何れの箇所に凹部を設けてもよい。
(１２)  実施例では、配線フックをフック本体および係止突部から構成したが、凹部から引き出された配線を保持し得るものであれば、配線フックとして、他の構成を採用し得る。また、可変係止部を配線フックとして採用することも可能である。
(１３)  実施例では、電気部品としての一般入賞装置の配線を配線フックで保持したが、設置空間に臨む各種演出装置や発光装置等、他の電気部品から導出する配線を配線フックで保持してもよい。
(１４)  実施例では、保護部として、装置収容部および保護壁部から構成したが、球排出口および球受部の間を囲繞して配線の侵入を防止し得るのであれば、保護部の構成は、適宜変更してもよい。例えば、保護部を前方に開放するコ字状の１つの壁部で構成し、落下空間を後方および側方から覆うようにしてもよい。
(１５)  実施例では、球受部の形状を平面視で略台形形状に形成したが、矩形状等、他の形状を採用することができる。また、球通過口や保護壁部の形状についても、球受部に整合するよう適宜変更可能である。
(１６)  実施例では、第１の開口部(上部開口)および第２の開口部(下部開口)が上下に連なった構成としたが、夫々、独立した開口部であってもよい。
(１７)  実施例では、遊技機としてパチンコ機を例示して説明したが、これに限られるものではなく、アレンジボール機やピンボール機等の従来公知の各種遊技機を採用し得る。また、図柄表示装置としても液晶パネルを用いたものに限らず、ドラム式やベルト式、その他の形式の図柄表示装置も採用可能である。
【符号の説明】
【００８４】
１４  遊技盤
２０  箱状部材
５０  遊技領域
６２  特別入賞装置(電気部品)
１３４Ｘ  配線
２０４Ｘ  配線(規制部)
２４０  磁気センサ(遊技機構成部品)
２４２  磁気センサ係止フック(遊技機構成部品)
２４６  一般球検知機(遊技機構成部品)
２４８  検知機係止フック(遊技機構成部品)
２９８  第３下部中継基板(基板)
３０４  設置部取付面(後面)
３０４ａ  位置決め突起
３０６  基板設置部材(基板設置部)
３０８  区画壁(規制部)
３１０  縦区画部(壁部)
３１２  案内壁(壁部)
３１６  導出口
３１８  設置面
３２２  第１嵌合筒部(取付部)
３３０  右規制壁部(壁部)
３３２  下規制壁部(壁部)
３３４  左規制壁部(壁部)
３４８  規制突起(規制部)
Ｄ  基板裏空間
Ｅ  配線案内路
Ｆ  不正部品
Ｓ  パチンコ球(遊技球)
【図１】
0005508219.tif 000002
【図２】
0005508219.tif 000003
【図３】
0005508219.tif 000004
【図４】
0005508219.tif 000005
【図５】
0005508219.tif 000006
【図６】
0005508219.tif 000007
【図７】
0005508219.tif 000008
【図８】
0005508219.tif 000009
【図９】
0005508219.tif 000010
【図１０】
0005508219.tif 000011
【図１１】
0005508219.tif 000012
【図１２】
0005508219.tif 000013
【図１３】
0005508219.tif 000014
【図１４】
0005508219.tif 000015
【図１５】
0005508219.tif 000016
【図１６】
0005508219.tif 000017
【図１７】
0005508219.tif 000018
【図１８】
0005508219.tif 000019
【図１９】
0005508219.tif 000020
【図２０】
0005508219.tif 000021
【図２１】
0005508219.tif 000022
【図２２】
0005508219.tif 000023
【図２３】
0005508219.tif 000024
【図２４】
0005508219.tif 000025
【図２５】
0005508219.tif 000026